(57)【特許請求の範囲】
【請求項１】
ユーザー識別情報に関連付けて複数の操作画面ファイルを記憶する記憶手段と、
ＩＤカードのユーザー識別情報を読み取るカードリーダと、
該カードリーダにより読み取られたユーザー識別情報に基づいて、該ユーザー識別情報に対応する操作画面ファイルを前記憶手段から読み出す読み出し手段と、
読み出された操作画面ファイルに基づいて操作画面を表示させる表示手段と、
該操作画面に対応する操作者の操作入力を受ける操作入力手段と、
前記操作画面ファイルの新規作成または変更編集が可能であり、前記ユーザー識別情報に関連付けて編集された操作画面ファイルを前記記憶手段に記憶する編集手段を備え、
前記操作画面ファイルが、ＨＴＭＬまたはＸＭＬのページ記述言語により構成されており、
前記操作画面には、リンク先パス名または操作コマンドが記述されているリンクが表示されることを特徴とする複写機。
【発明の詳細な説明】
【０００１】
【発明の属する技術分野】
本発明は、複写機に関するものである。
【０００２】
【従来の技術】
最近の複写機等の機器では、マンマシーンインターフェースとして、機器の操作メニューを液晶ディスプレイ等に操作画面として表示しており、該画面をページ記述言語で作成することで操作を分かりやすくして操作性を向上させる工夫がなされている。
例えば、特開平１１−２５１１４号公報や特開２０００−２２２０８９号公報では、ＨＴＭＬテキストに基づいてキー操作等と連動する操作メニューを表示可能とした装置が示されている。
該装置では、マウスがないテレビやワードやワードプロセッサにおいて操作者による操作を受け付けて所定の処理を行うことが可能とされており、操作性を向上させることを可能にしている。
【０００３】
また、操作性を向上させるために操作の履歴を記憶し、これを呼び出すことを可能とした技術が提案されている（特開２０００−２３５４６６号公報や特開２００１−１２７８６７号公報）。
該装置では、操作履歴を再現できるので、繰り返し操作を行う際に操作の手間を軽減して操作性を向上させることができる。
【０００４】
【発明が解決しようとする課題】
ところで、複写機の使用において、社内での業務用途の異なる部門やユーザーによっては必要な操作が異なったり、操作の手順が異なったりすることがあり、またユーザーによって好みのメニュー形式が異なることも多い。これらの要望に対しては、上記の従来技術では応えることができない。
上記の要望に対しては、メニューの階層を深くして多メニュー化したり、操作画面の編集を可能にして最適な操作画面や好みの操作画面を表示できるようにしたりすることが考えられる。しかし、前者では、操作者による操作ステップが増えて操作が面倒になるという問題がある。また、後者では、編集者以外のユーザーにとっては逆に使いづらい操作画面になることもあり、結局は多メニュー化したり汎用的な操作画面を使わざるを得ないという問題がある。
【０００５】
本発明は、上記事情を背景としてなされたものであり、各部門や各ユーザーにおいて幅広く複写機の操作勝手を向上させることができる複写機を提供することを目的とする。
【０００６】
【課題を解決するための手段】
上記課題を解決するため本発明の複写機は、ユーザー識別情報に関連付けて複数の操作画面ファイルを記憶する記憶手段と、ＩＤカードのユーザー識別情報を読み取るカードリーダと、該カードリーダにより読み取られたユーザー識別情報に基づいて、該ユーザー識別情報に対応する操作画面ファイルを前記憶手段から読み出す読み出し手段と、読み出された操作画面ファイルに基づいて操作画面を表示させる表示手段と、該操作画面に対応する操作者の操作入力を受ける操作入力手段と、前記操作画面ファイルの新規作成または変更編集が可能であり、前記ユーザー識別情報に関連付けて編集された操作画面ファイルを前記記憶手段に記憶する編集手段を備え、前記操作画面ファイルが、ＨＴＭＬまたはＸＭＬのページ記述言語により構成されており、前記操作画面には、リンク先パス名または操作コマンドが記述されているリンクが表示されることを特徴とする。
【００１５】
すなわち本発明の複写機によれば、取得されたユーザー識別情報に基づいて予め記憶された操作画面ファイルが呼び出され、該ファイルに基づいて操作画面が表示される。操作者は、該操作画面に従って操作入力を行うことができ、該操作入力に応じて複写機の制御が実行される。この方法では、ユーザー識別情報で識別されるユーザーに対応して操作画面を表示することができ、部門毎や操作者個々に適した操作画面の表示を可能にすることにより複写機の操作性を向上させる。
【００１６】
そして、本発明の複写機によれば、ユーザー識別情報に対応して操作画面ファイルが記憶手段に記憶されており、使用を意図するユーザーの識別情報が識別情報取得手段により取得される。読み出し手段では、取得された識別情報に基づいて上記記憶手段から識別情報に対応する操作画面ファイルが読み出され、表示手段では、該操作画面ファイルに基づいて、操作画面を表示部に表示させる。操作入力手段では、上記操作画面に対応して操作者の操作入力を受け付け、複写機の制御実行を可能にする。
【００１７】
ユーザー識別情報としては、操作者である個々のユーザーを識別したり、または一群の操作者をユーザーとして識別したり、複数の使用機器の個々をユーザーとしての識別を行ったりする。識別情報としてはユーザーコードや機器アドレスなどを用いることができるが、本発明としてはユーザーとして識別できるものであればよく、その種別は限定されない。ユーザー識別情報取得手段としては、操作者であるユーザーがキーボード等を介して入力するコード等を情報として取得するものや、識別情報を記録してユーザーに予め配布した磁気カードやＩＣカード等のＩＤカードを読みとるカード読み取り機や、ネットワークに接続された機器のアドレス等のエージェント情報を認識する管理サーバにより構成することができる。
【００１８】
操作画面ファイルは、操作画面を表示するためのデータを備えたファイルである。該ファイルはユーザー識別情報に対応させて適宜の記憶手段に記憶しておく。該記憶手段としては、ＨＤＤ等の大容量ディスク装置や光ディスク、光磁気ディスクなど任意の記憶媒体を用いることができる。また、ユーザー識別情報を記憶しているＩＣカード等を上記の記憶手段として用いることもできる。
【００１９】
該操作画面ファイルは、適宜の編集手段により新規作成したり、変更したりできるのが望ましい。これによりユーザーや機器の配置部門等に合わせてより操作性のよい操作画面を提供することができる。この操作画面ファイルは、ＨＴＭＬ、ＸＭＬ等のページ記述言語により構成すれば、意図する編集画面を得るように容易に編集作業を行うことができる。
【００２０】
操作画面ファイルは編集手段により編集作業を行うことができる。該編集手段は、キーボード、マウス等の適宜の入力機器と、編集内容を確認できるディスプレイ等を備えるものであればよい。該編集手段は、制御対象となる機器に備えるものでもよく、また、ネットワークを介して接続される端末やサーバに備えるものであってもよい。この編集手段で編集された操作画面ファイルは、ユーザー識別情報に対応して上記した記憶手段に記憶されるが、該記憶手段も編集手段と同様に制御対象となる機器に備えてもよく、また、ネットワークを介して接続される端末やサーバに備えてもよい。さらに編集手段と記憶手段とは、同一の装置に備える他、ネットワークを介して接続される他の装置にそれぞれ備えられるものであってもよい。
【００２１】
記憶手段に記憶された操作画面ファイルは、適宜の読み出し手段によってユーザー識別情報に対応して読み出される。該読み出し手段としては、記憶手段を制御するＣＰＵなどを利用することができる。記憶手段では通常、操作画面ファイルとユーザー識別情報とをリンクした形でデータベース化する。ただし、本発明としては該データベースの構造が特に限定されるものではない。
【００２２】
操作画面ファイルは、表示手段を用いるなどしてディスプレイに表示させる。表示手段は、操作画面ファイルの内容を表示用のデータに変換し、液晶ディスプレイ等で構成される表示部を制御して、該表示部に操作画面を表示する。表示手段としてはＣＰＵ、ディスプレイ制御プログラムにより構成することができる。
【００２３】
さらに、本発明の装置では、上記操作画面に従って操作者が入力を行うことができる操作入力手段を備えており、該手段としてはキーボードやマウス等を利用することができる。該操作入力手段による操作結果、操作過程は、操作画面に反映するのが望ましく、操作入力手段により受け付けられた情報を上記表示手段に送り、表示部に表示させる。
【００２４】
操作入力手段により入力された操作情報は、必要に応じて機器を制御する機器制御手段等に送信され、機器の制御を実行する。機器の制御内容は、機器の種別、操作目的ににより異なり、本発明としては特に限定されない。また、機器の構成、用途等においても特に限定されるものではなく、操作者の操作によって制御される種々の機器を対象とすることができる。
【００２５】
なお、上記複写機では、複写機の使用終了を検知して操作画面表示を初期化して、後で使用するユーザーに備えるのが望ましい。使用終了の検知方法は種々の方法があり、例えば一定時間操作がなされないことによるタイムアウトによって終了検知したり、ユーザー識別情報を記録した情報カード等を取得手段から取り去ることによって終了検知したりすることができる。
【００２６】
なお、終了検知による初期化で汎用的な操作画面を表示するものとすれば、カスタマイズされた操作画面を必要としないユーザーでは、そのまま該操作画面を使用することを可能にする。また、ユーザーに対応してカスタマイズされた操作画面を使用する場合には、前記方法に従って、読み出された操作画面ファイルに基づいて操作画面が表示される。
【００２７】
【発明の実施の形態】
以下に本発明の一実施形態を図１〜図８に基づいて説明する。
（実施形態１）
図１は、本発明の複写機の概略を示すブロック図である。
入力制御装置は、ユーザー情報識別取得手段であるカードリーダ１と、ユーザー識別情報に対応して操作画面ファイルを記憶する記憶部２と、操作画面ファイルを編集する編集手段３と、表示部であるＬＣＤ（液晶）パネル４と、該液晶パネル４を制御する表示制御部５と、操作入力を行う操作入力手段６、これら個々を制御する複写機制御手段７とを有しており、該複写機制御手段７は、さらに複写機本体８を制御するべく複写機本体８に接続されており、これらは複写機として一体に機器を構成している。
【００２８】
上記機器におけるカードリーダ１は、操作者に個々またはグループ毎に貸与され、ユーザー識別情報が記録されている磁気カード等のＩＤカード１０をセットしてＩＤカード１０からユーザー識別情報を読み取りデータとして取得するものである。取得されたデータは複写機制御部７に送られ、課金や後述する操作画面の制御に利用される。
【００２９】
記憶部２には、ＨＤＤ等の記録媒体が用いられ、ユーザー識別情報に関連付けて操作画面ファイルを記憶しておく。これによりユーザー識別情報に対応して操作画面ファイルを読み出すことができる。本実施形態では、複写機制御部７が該ファイルを読み出すための読み出し手段としても機能する。
【００３０】
操作画面ファイルは、操作画面を表示するための情報を持ったファイルであり、好適にはＨＴＭＬ、ＸＭＬ等のページ記述言語により作成されている。図２は、ＨＴＭＬによって作成された操作画面ファイルの内容の一例のリストと、該ファイルに基づいて表示される画面を表示したもである。該リストを変更することにより、操作画面を容易に変更することが可能である。また、記憶部２には、その他のデータを記憶することもできる。例えば、複写機の使用が許可されているユーザー識別情報や、該識別情報に対応して複写枚数をカウントし、枚数や算出された料金を課金情報として記憶しておく。
【００３１】
編集手段３は、上記操作画面ファイルを新規に作成したり、既存のファイルを変更するものであり、適宜の入力装置、例えばキーボード等によりファイル内容を編集する。該編集手段３は、複写機に備えるものでもよいが、コンピュータ等を編集手段として利用し、得られたファイルを複写機に取り込むものであってもよい。取り込み方法としては、ＦＤＤ等の記録媒体を介して取り込んだり、複写機と端末コンピュータとをネットワークを介して接続し、該ネットワークを通してファイルを送受信するものであってもよい。複写機制御部７では、編集された操作画面ファイルをユーザー識別情報に関連付けて上記記憶部２に記憶しておく。
【００３２】
表示制御部５は、複写機制御部７で生成された表示画面データに基づいてＬＣＤパネル４を制御するものであり、該表示制御部５とＬＣＤパネル４とにより表示手段が構成される。なお、この実施形態では、表示制御部５を別途設けたが、複写機制御部７の一機能として表示制御を行うことも可能である。ＬＣＤパネル４は、複写機の適所に設けられ、操作者が見やすい位置に設けられる。通常は、複写機の前面部に設けられる。
【００３３】
操作入力手段６は、図３に示すように、ＬＣＤパネル４に近接して配置されており、操作画面を見ながら入力を行うことができる。操作入力手段６は、テンキー群６ａと、決定キー付き四方カーソル６ｂと、「進む」キー６ｃ、「戻る」キー６ｄ、「ブックマーク」キー６ｅからなる。
各キーは押し下げ可能になっており、キーの押し下げは複写機制御部７において検知され、それぞれのキーに割り当てられた動作を行う。操作画面に対する操作（「戻る」等）を行うキーでは、該操作に従って操作画面表示の変更を行う。
【００３４】
複写機本体８は複写機機能を果たす主要部であり既知の構成からなる。その構成の詳細な説明はここでは省略する。
【００３５】
次に、上記複写機における機器の制御方法について説明する。
先ず、上記機器では、記憶部２において操作画面ファイルが記憶されている。この操作画面ファイルの編集、記憶の一例について図４、５のフローチャートに基づいて説明する。なお、操作画面ファイルの編集、記憶は、事前に初期設定として行っておくものであり、機器の常時での操作においては通常は行われない。
【００３６】
操作画面ファイルの編集では、例えば、複写機の初期操作画面に「カスタムページ作成」メニューを設けておき、該メニューを選択すると、複写機のＬＣＤパネル４上でカスタムメニューページ作成を行えるように構成する。
編集に際しては、新規ファイルの作成であるか否かが確認され（ステップＳＥ１）、新規ファイルの作成でない場合には、既存のページを記憶部２から呼び出して（ステップＳＥＢ１）、編集するべくステップＳＥ５に移行する。なお、既存ページの呼び出しに際しては、ファイル名やユーザー識別情報等の呼び出しに必要な情報を入力する。
【００３７】
一方、新規ファイルの作成である場合には、新規ページの作成工程に移行する（ステップＳＥ２）。該工程では、順次、新規ページ作成、タイトル入力（ステップＳＥ３）、ページデザイン作成（ステップＳＥ４）を行う。
【００３８】
これらの工程後、メニューの追加があるか否かが確認され（ステップＳＥ５）、メニュー追加がない場合には、メニュー削除工程へと移行する（ステップＳＥ９以降）。メニューの追加がある場合、設定操作工程に移行する（ステップＳＥ６）、設定操作では、順次、設定操作の策定、操作タイトル入力（ステップＳＥ７）、ページに追記（ステップＳＥ８）を行う。
【００３９】
「メニュー追加」では、「操作の登録」を行えるようにしてユーザーが行う設定操作を操作検知手段等で検知し、該操作を記録して、操作が終了したら、その操作にタイトルを付与し、コマンドとして当該操作画面ファイルに追加・更新するようにしてメニュー追加を行えるようにしてもよい。これらの工程後、メニュー削除工程に移行する。
【００４０】
メニュー削除工程では、メニューの削除を行うか否かの確認がなされる（ステップＳＥ９）。メニューの削除を行う場合、次ステップで削除メニューを選択し（ステップＳＥ１０）、削除を実行し（ステップＳＥ１１）、操作画面を更新する。その後、登録処理工程に移行する。また、ステップＳＥ９でメニューの削除を行わないことを確認した場合、直ちに登録処理工程に移行する。
【００４１】
登録処理工程では、先ず、登録を行うか否かの確認がなされ（ステップＳＥ１２）、登録を行わない場合には、操作画面ファイルの編集処理を終了する。一方、登録を行う場合には、ユーザー識別情報を入力する（ステップＳＥ１３）。該情報の入力は、操作者により入力してもよく、また、カードリーダ１でＩＤカードを読み込み、該読み込みで得られるユーザー識別情報を用いるものであってもよい。上記識別情報の入力処理を行った後、ユーザー識別情報に関連付けて編集した操作画面ファイルを記憶部２に記憶して（ステップＳＥ１４）、操作画面編集処理を終了する。
【００４２】
次に、複写機の入力制御の手順を図６に基づいて説明する。
複写機の動作において電源のＯＮ等により起動し、ＬＣＤパネル４に初期操作画面表示を行う（ステップＳ１）。該画面表示のための情報は、図示しないＲＯＭや記憶部２等に記録しておき、複写機制御部７を介して読み出す。読み出された情報は、操作画面としてデータ変換され、表示制御部５に送信された後、ＬＣＤパネル４に表示される。
【００４３】
その後、カードリーダ１にＩＤカード１０をセットすることにより、ＩＤカードに記録されたユーザー識別情報が読み出され、データとして取得される（ステップＳ２）。複写機制御部７では、取得されたユーザー識別情報が、記憶部２に記憶されている適正な情報であるか否かを判定し（ステップＳ３）、適正な情報でないと判定した場合、複写機の使用を許可せず、電源ＯＦＦかどうかが判定され（ステップＳ１３）、電源ＯＦＦでない場合、操作画面を初期化した後（ステップＳ１４）、ステップＳ１に戻る。
【００４４】
ステップＳ３で、ユーザー識別情報が適正であると判定された場合、複写機制御部７では、取得されたユーザー識別情報に基づいて、該情報に対応した操作画面ファイルを記憶部２から読み出す（ステップＳ４）。該読み出しにおいて、ユーザー識別情報に対応する操作画面ファイルが記憶部２に存在するか否かを確認し（ステップＳ５）、存在しない場合は、初期操作画面ファイルを読み出し（ステップＳＢ１）、該ファイルに基づいて初期操作画面データを生成し（ステップＳＢ２）、操作画面をＬＣＤパネル４に表示する（ステップＳ７）。このようにユーザー識別情報に対応する操作画面ファイルが存在しない場合としては、ユーザーや部門によってはカスタマイズされた操作画面を必要とせず、汎用の操作画面を使用する場合である。
【００４５】
ステップＳ５で操作画面ファイルの存在が確認された場合、読み出されたファイルに基づいて操作画面データを生成し（ステップＳ６）、ステップＳ７で操作画面をＬＣＤパネル４に表示する。該操作画面の表示内容を操作入力手段６とともに図７に示す。
【００４６】
該操作画面では複合機の操作コマンドもしくは他の操作画面への移動が可能となる部分には、画像反転、囲み等のリンク表示がされ、操作画面ファイルの当該リンク部分にはリンク先パス名もしくは操作コマンドが記述されている。リンク箇所をユーザーが指定（マウスでクリック、決定ボタン、タッチパネルで直接指定等）すると、選択されたリンクのパス名に該当する操作画面ファイルの読込・表示もしくは選択されたコマンドを実行する。
【００４７】
また、操作画面で表示された操作画面ファイルの履歴としてパス名が記憶されており、「戻る」「進む」ボタンで任意の操作画面に戻ることが可能である。「ブックマークに記憶する」ボタンで、表示している操作画面のパス名をブックマーク記憶ファイルに記憶する。「ブックマーク」ボタンで、ブックマーク記憶手段に記憶されたパス名に対応づけられた画面名称の一覧が表示され、任意の画面名称を選択すると対応するパス名の操作画面ファイルを呼び出し、画面表示される。
【００４８】
次に、ステップＳ８では、複写機操作が終了状態にあるか否かが検知される。終了状態は、操作者による終了操作やＩＤカードの抜き取り、一定時間無操作の状態にあるタイムアウトなどにより発生する。終了状態にあると判定された場合、ステップＳ１３で電源ＯＦＦであるか否かが確認され、電源ＯＦＦでない場合、操作画面を初期化した後、ステップＳ１へと移行する。ステップＳ８で終了状態にないと判定された場合、引き続き、操作画面に従って、操作者による操作入力がなされる（ステップＳ９）。図８は、図７におけるメニューＮｏ．１の「縮小レイアウトコピー」を選択した結果、表示される操作画面（サブメニュー）を示すものであり、図７でメニューＮｏ．１が囲み状態にあるときに、決定キーを押すことにより、階層化された上記画面が表示される。操作者は操作画面における適宜のメニューをカーソルキー６ｂの操作等により選択する。
【００４９】
操作入力において、複写機を実行動させるメニューが選択されると（ステップＳ１０）、該メニューの内容に従って、複写機制御部７は、複写機本体８を制御し、制御を実行する（ステップＳ１１）。実行処理後は、複写枚数のカウント等によりユーザー識別情報に基づいた課金処理がなされる（ステップＳ１２）。その後は、再度、ステップＳ４に移行して操作画面ファイルを読み出す。処理が必要でない場合には、ステップＳ８においてＩＤカード１０をカードリーダ１から抜き取る等して終了処理がなされる。
【００５０】
上記の制御方法では、ＩＤカード１０をカードリーダ１にセットすることにより、ユーザーに適した操作画面が表示されるので、操作者は操作勝手がよく、無駄な操作を経ることなく必要な操作を効率的に行って所望の機器制御を行うことが可能になる。該方法は、課金処理等に利用されるＩＤカードを利用して行うので、操作者は、特別な意識を持つことなく自分に適した操作画面に基づいて操作を行うことができる。
【００５１】
（実施形態２）
上記実施形態は、各構成が、複写機として一体化されたものについて説明したが、本発明としては、ネットワークを介して各構成が分散したシステムにより構成されたものであってもよい。以下にその実施形態を図９に基づき説明する。
【００５２】
制御対象となる機器である複写機２０は、実施形態１と同様に、複写機制御部２１、複写機本体２２、カードリーダ２３、操作入力手段２４、表示部２５を備えており、複写機制御部２１には、ネットワーク通信手段２６が接続され、該ネットワーク通信手段２６は、ＬＡＮ等のネットワーク２８に接続されている。複写機制御部２１は、複写機２０の個々の構成を制御し、また、外部のネットワーク２８との間の通信を制御する。この実施形態では、複写機制御部２１が表示制御部の機能も果たしている。
上記ネットワーク２８には、他の機器（図示しない）が接続されているとともに、端末３０およびサーバ４０が接続されている。端末３０は、キーボード等で構成される編集手段３１およびモニタ３２を備えており、サーバ４０は、記憶部４１と該記憶部４１の制御が可能なＣＰＵ４２を備えている。
【００５３】
次に、上記システムの動作について説明する。なお、機器制御の手順は、実施形態１におけるフローチャート図と同様であるので、フローチャート図を省略し、説明を簡略化する。
サーバ４０では、各ユーザー識別情報によって機器の操作許可情報、課金情報が記憶部４１に記憶されて管理されており、さらに該記憶部４１には、ユーザー識別情報に関連付けて操作画面ファイルが記憶されている。該操作画面ファイルの内容は、実施形態１と同様である。
【００５４】
該操作画面ファイルを編集する場合は、端末３０において編集手段３１によりモニタ３２で確認しつつ編集作業を行う。なお、既存の操作画面ファイルを編集する場合は、ネットワーク２８を介してサーバ４０に操作画面ファイルの送信を要求する。サーバ４０では、該要求に従って、操作画面ファイルを呼び出し、該ファイルをネットワーク２８を介して端末３０に送信する。
端末３０では、編集手段において新規または既存のファイルを作成、変更し、編集が完了した後は、サーバ４０にユーザー識別情報を付加して該ファイルを送信する。サーバ４０では、受信したファイルをユーザー識別情報に関連付けて記憶部４１に記憶する。
【００５５】
なお、上記では、ネットワークを介して操作画面ファイルの送受信を行うものとして説明したが、ＦＤ等の記録媒体を用いてデータの入出力を行うことも可能である。
操作画面ファイルは、上記の如くユーザーが独自のものを作成して記憶させることも可能であるが、予め作成されたものをネットワーク上で配信したり、記憶媒体を配布することも可能である。
【００５６】
複写機２０では、電源をＯＮにすることにより初期操作画面が表示され、使用を意図する操作者がカードリーダ２３にＩＤカード（図示しない）をセットすることにより、ＩＤカードからユーザー識別情報が呼び出される。取得されたユーザー識別情報は、複写機制御部２１において、ネットワーク通信手段２６、ネットワーク２８を介してサーバ４０へと送信される。サーバ４０では、該識別情報を受信し、記憶部４１で該識別情報が操作許可されているものかどうかを確認し、許可されていない識別情報である場合には、その結果をネットワーク２８を介して複写機２０に送信する。複写機２０では、該情報に基づいて、複写機制御部２１は、操作入力手段２４での入力を受け付けないように制御する。
【００５７】
サーバ４０でユーザー識別情報が適正であると判断されると、記憶部４１からユーザー識別情報に対応した操作画面ファイルが読み出される。ＣＰＵ４２では、該ファイルをネットワーク２８を介して複写機２０へと送信する。複写機２０では該ファイルを受信して、複写機制御部２１で操作画面用のデータに変換し、表示部２５に操作画面を表示する。
【００５８】
操作者は、実施形態１と同様に操作画面に従って機器の入力制御を行う。実施形態１と同様に終了状態が検知されると、複写機制御部２１では、操作画面を初期操作画面に変更するとともに、当該ユーザーによる複写枚数をカウントしてその結果を、ネットワーク２８を介してサーバ４０に送信する。サーバ４０では、該枚数に従って課金処理を行う。
この実施形態においても、ネットワークを利用したシステムにおいて機器の操作を効率的に行って機器の制御を行うことができる。
【００５９】
なお、上記各実施形態では、ユーザー識別情報の取得として、ＩＤカードを利用するものについて説明したが、本発明としては、これに限定されず、複写機に与えられるアドレス等のエージェント情報を利用するものであってもよい。該情報は、適宜ネットワークを介してサーバ４０に送信されている。
【００６０】
【発明の効果】
以上説明したように、本発明の複写機よれば、ユーザーに適した操作画面を表示して操作することを可能にし、操作者による操作性を飛躍的に向上させ、複写機の制御操作を効率的に行うことを可能にする。
【図面の簡単な説明】
【図１】  本発明の一実施形態を示すブロック図である。
【図２】  同じく操作画面リストおよび画面表示を示す図である。
【図３】  同じく表示部および操作入力手段を示す図である。
【図４】  同じく操作画面ファイルの編集工程を示すフローチャート図である。
【図５】  同じく操作画面ファイルの編集工程を示すフローチャート図である。
【図６】  同じく複写機入力制御の工程を示すフローチャート図である。
【図７】  同じく表示部における表示内容を示す図である。
【図８】  同じく表示部における表示内容を示す図である。
【図９】  本発明の他の実施形態を示すブロック図である。
【符号の説明】
１  カードリーダ
２  記憶部
３  編集手段
４  ＬＣＤパネル
５  表示制御部
６  操作入力手段
７  複写機制御部
８  複写機本体
１０  ＩＤカード
２０  複写機
２１  複写機制御部
２２  複写機本体
２３  カードリーダ
２４  操作入力手段
２５  表示部
２８  ネットワーク
３０  端末
３１  編集手段
４０  サーバ
４１  記憶部
４２  ＣＰＵ
【図１】
0004123751.tif 000002
【図２】
0004123751.tif 000003
【図３】
0004123751.tif 000004
【図４】
0004123751.tif 000005
【図５】
0004123751.tif 000006
【図６】
0004123751.tif 000007
【図７】
0004123751.tif 000008
【図８】
0004123751.tif 000009
【図９】
0004123751.tif 000010